(57)【要約】      （修正有）【課題】巻き爪などの変形爪を苦痛なく正常爪になるよう矯正改善する矯正具を提供する。【解決手段】巻き爪などの変形爪に復元力のある合成樹脂又は形状記憶合金板を処置する人の爪の大きさに合わせて裁断し、強力な貼着力のある両面テープによって爪甲に貼着することによって、矯正していく。平板の復元力又は記憶合金の記憶力により、爪は、上に引き上げられ、正常に戻ろうとする、これを数ヶ月（約３ヶ月）すると、爪が正常に生え変わってくる。【選択図】図１
0003150424.tif 000002
【実用新案登録請求の範囲】
【請求項１】
復元力のある合成樹脂又は形状記憶合金などの平板の背面に強力な粘着力を有する両面テープを貼着したことを特徴とする変形爪矯正板。
【請求項２】
上記変形爪矯正板の形状は、爪半月部分を有することを特徴とする請求項１の変形爪矯正板。
【請求項３】
さらに、変形爪矯正板には、爪の大きさによって裁断案内ラインを印刷することを特徴とする請求項１及び請求項２の変形爪矯正板。
【考案の詳細な説明】
【技術分野】
【０００１】
本考案は、巻き爪などの変形爪を苦痛なく正常爪になるよう矯正改善する、矯正具に関するものである。
【背景技術】
【０００２】
巻き爪を矯正する方法は、爪に穴を開け、ワイヤーをその穴に通し、そのワイヤーを締め付けていく方法（特開２００１−２７６１０４）や、形状記憶効果のある、薄い金属板や樹脂板など溶剤で接着する方法（特開２００１−３７５３５）等がある。
【特許文献１】特開２００１−２７６１０４
【特許文献２】特開２００１−３７５３５
【考案の開示】
【考案が解決しようとする課題】
【０００３】
従来の巻き爪の矯正は、前述したような外科的手術を施術する方法があるが、外科的手術を施術する方法は、費用、術後の傷後も治るのに時間がかかる上、痛みを伴うものであった。更に、ワイヤーで処置をすると、靴を履いた時にワイヤーの部分が、靴の内側に当ったり、歩行しにくいことがあった。（特開２００１−２７６１０４参照）
【０００４】
また、前述した（特開２００１−３７５３５）の小片は、爪への貼着面積が少ないため、爪と矯正板が剥離するため、その効果には問題点があった。
【０００５】
さらに、仮に上記の（特開２００１−３７５３５）の小片の貼着面積を大きくするために短方向を長くした場合、爪半月に被さってしまうため、爪の発育に問題が生じる。
【課題を解決するための手段】
【０００６】
本考案は、上記を鑑み次のような手段を用いて課題を解決する。
まず、図１，図２に示すような復元力のある合成樹脂又は形状記憶合金などの平板の背面に強力な粘着力を有する両面テープ１０２を貼着し、その平板を図６に示すように爪甲１に貼着することにより、平板の復元力又は記憶合金の記憶力により、爪は、上に引き上げられ、正常に戻ろうとする、これを数ヶ月（約３ヶ月）すると、爪が正常に生え変わってくる。
【０００７】
この場合の平板の形状は、図１に示すように、爪半月２の部分を切り取る形状にすることを特徴とする。
この爪半月の部位は、爪の発育、育成のためには非常に大切な部位で、この部分に平板が貼着されると、爪の発育に影響が現れる。
【０００８】
また、平板には、爪の大きさによって裁断可能な、数本の裁断案内ラインｂを印刷することを特徴とする。
【考案の効果】
【０００９】
本考案の変形爪矯正板を処置具として使用することにより、原形復元力のある樹脂板又は形状記憶合金などの平板を利用することで、手術をする必要がなくなり、治療にかかる時間も軽減でき、痛みを伴うこともない。
また、指の肉の部分に巻き込む爪の力を樹脂板又は形状記憶合金などの平板の原形復元力を利用し、巻き爪に対して反る力を長時間加えることにより、爪の巻く力を半減させ、爪が伸びることによって正常化する。
【００１０】
巻き爪の処置を原形復元力のある透明又は半透明の樹脂板又は形状記憶合金などの平板で処置することにより見た目がすっきりとして、周りの目を気にすることがなくなる。
【００１１】
また、原形復元力のある樹脂板又は形状記憶合金板などの平板で巻き爪を処置することにより、靴を履いた時も、処置部分と靴との間で摩擦が起きないため、歩きやすくなる。
【００１２】
また、水やお湯が処置部分にかかっても外れることはないので、普段の生活通りに風呂も入れる。
【考案を実施するための最良の形態】
【００１３】
復元力のある合成樹脂板又は形状記憶合金板などの平板を、図１に示すような爪半月ラインａを設けた形状をプレカットして、本考案の変形爪矯正板１００を製作する。
【００１４】
そうして作製された変形爪矯正板１０１の背面には、図２で示すように強力な貼着力のある両面テープ１０２を貼着する。
【００１５】
また、その変形爪矯正板１０１には、図１に示すように爪の大きさに合わせて裁断できるように爪の裁断線ｂを印刷しておく。
このようにして製作された変形爪矯正板１００の実施例について以下図面に基づいて説明する。
【実施例１】
【００１６】
図１に示す変形爪矯正板１００の裁断ラインに沿って、自分の爪の大きさに合わせて裁断する。
次に、背面の両面テープ２００を剥がし、爪甲に貼着する。
続いて、図５に示すように、爪甲１より長くはみ出た部分を切断して、貼着は終了する。
【実施例２】
【００１７】
変形爪矯正板１００を爪甲１に貼着するときは、図６に示すように、変形爪矯正板１００の両端を矢印ｄのように少し押し曲げて貼着する。  
[作用１]
【００１８】
上記実施例のように爪甲１に変形爪矯正板１００を貼着することにより、合成樹脂板又は形状記憶合金板の復元力により、爪甲１は、上に引き上げられた状態で生育、成長していく。
[作用２]
【００１９】
一般的には、成人の爪は、根元から指先まで３ヶ月で伸びるといわれている。
従って、３ヶ月経過すると、合成樹脂板又は形状記憶合金板の復元力により爪は正常な状態になるのである。
勿論、３ヶ月の期間中には爪も伸び、爪切りも必要になるが、合成樹脂板又は形状記憶合金板と一緒に爪を切ることが望ましい。
[作用３]
【００２０】
また、入浴中に、変形爪矯正板１００が外れることがあるが、そのときは、同じように貼着するとよい。
【図面の簡単な説明】
【００２１】
【図１】本考案の変形爪矯正板の平面図
【図２】Ａ−Ａ´の断面図
【図３】変形爪矯正板を裁断線に沿って裁断した平面図
【図４】爪が変形した指の平面図
【図５】図４に図３の裁断された矯正板を貼着した図
【図６】図５の正面図
【図７】変形爪矯正板をシートに貼着した平面図
【図８】Ｂ−Ｂ´の断面図
【符号の説明】
【００２２】
１．爪甲
２．爪半月
３．指
ａ．爪半月ライン
ｂ．爪の大きさに合わせて裁断する裁断案内ライン
ｃ．変形爪矯正板を爪甲に貼着し、余りの部分を切断するときのライン
ｄ．変形爪矯正板を爪甲に貼着するときはの案内ライン。
１００．本考案の変形爪矯正板
１０１．復元力のある合成樹脂又は形状記憶合金板
１０２．強力な貼着力のある両面テープ
２００．変形爪矯正板を貼り付けるシート
【図１】
0003150424.tif 000003
【図２】
0003150424.tif 000004
【図３】
0003150424.tif 000005
【図４】
0003150424.tif 000006
【図５】
0003150424.tif 000007
【図６】
0003150424.tif 000008
【図７】
0003150424.tif 000009
【図８】
0003150424.tif 000010
【手続補正書】
【提出日】平成21年2月13日(2009.2.13)
【手続補正１】
【補正対象書類名】実用新案登録請求の範囲
【補正対象項目名】請求項３
【補正方法】変更
【補正の内容】
【請求項３】
さらに、変形爪矯正板には、爪の大きさによって裁断案内ラインを印刷することを特徴とする請求項１又は請求項２の変形爪矯正板。